(57)【要約】【課題】自らの指の爪などで防水ハウジングの防水シール部材を剥離しており、防水シール部材の剥離はかなり煩雑な操作であるとともに、バックルのロック解除のためにＬ型レンチなどを用意する必要がある。【解決手段】アクセサリー１０は、板状部材の一部１０ｃを切欠くことによって棒状に形成されたバックルの解除用部位１０ａと、板状部材の一部１０ｄを薄板状（クサビ状）として平面方向から見て徐々に先細りとなる三角形状に形成された防水シール部材の剥離用部位１０ｂとを一体的に有して合成樹脂から成形されている。【選択図】図１
2007072413.tif 000002
【特許請求の範囲】
【請求項１】
防水ハウジングのためのアクセサリーであって、
上記防水ハウジングに設けられている防止蓋を閉じているバックルのロックを解除するための解除用部位と、上記防水ハウジングに設けられている防水シール部材を剥離するための剥離用部位とを一体的に有している防水ハウジングのためのアクセサリー。
【請求項２】
上記請求項１の防水ハウジングのためのアクセサリーにおいて、
上記アクセサリーは合成樹脂からなる板状部材であることを特徴とする防水ハウジングのためのアクセサリー。
【請求項３】
上記請求項２の防水ハウジングのためのアクセサリーにおいて、
上記解除用部位は上記板状部材の一部に棒状に形成され、上記剥離用部位は上記板状部材の一部に薄板状に形成されたことを特徴とする防水ハウジングのためのアクセサリー。
【発明の詳細な説明】
【技術分野】
【０００１】
本発明は、水中撮影のために内部にカメラなどを収納する防水ハウジングのためのアクセサリー、特に、防水ハウジングの防水性解除時に使用されるアクセサリーに関する。
【背景技術】
【０００２】
近年、アウトドアスポーツの普及により、銀塩カメラ、デジタルカメラ、デジタルビデオカメラ（報道用、映画用のものを含む）などに防水ハウジング（防水ケース、防水プロテクタ）を装着して、ダイビング時に水中の生物などを撮影する水中写真愛好者が増加している。
【０００３】
内蔵するカメラを水から隔離するために、防水ハウジングには完全な防水性が必要とされる。図３はケース開放時（防水ロック解除時）における防水ハウジングの概略斜視図を示し、一般的に、防水ハウジング２０はヒンジ止めされた一対のケース２２、２４を有し、対向する端面の一方、たとえば、リアケース２４の内端面２４ａに環状の収納溝２４ｂを形成し、この収納溝にオーリングなどの防水シール部材２４ｃが嵌っている。ただし、オーリング２４ｃの断面円周の一部は、防水のためこの収納溝外に突出し、露出している。そして、一対のケース２２、２４を閉じたとき、他方（フロントケース２２）の平坦な内端面２２ａにリアケースの端面２４ａのオーリング２４ｃを押圧、密着させて、一対のケース２２、２４の間での防水性、つまりは防水ハウジンの内部の防水性を確保している。
なお、フロントケース２２はカメラの主要部を収納する本体（防水ハウジング本体）として、リアケースはカメラの一部を収納するととともに本体の開口背面を閉じる防水蓋としてそれぞれ機能する。
【０００４】
防水ハウジング２０は、オーリングの押圧、密着状態を維持するために、そのヒンジ片２２ｄ、２４ｄと相反する側方の端面２２ｅ、２４ｅにバックル２６を更に有している。このバックル２６は、略Ｌ字形状の係止部２６ａと、操作片２６ｂおよび略コ字形状の係止片２６ｃを持つ本体（バックル本体）２６ｄとから形成されている。操作片２６ｂは折曲された自由端２６ｂ１を持ち、操作片の末端部２３ｂｚは本体２６ｄに回動可能に取付けられている。また、係止片の２本の脚部２６ｃ１の先端部は操作片の折曲自由端２６ｂ１の近傍に回動可能に支持されている。図４は図３のＸ方向から見たリアケース２４の部分側面図を示し、図４に示すように、バックルの係止部２６ａは、リアケースの端面２４ｅにビス２６ｅによって固定されている。また、バックルの本体２６ｄもフロントケース２２の端面２２ｅにビス止めされている。
【０００５】
そして、フロントケース２２に配置された本体上の係止片２６ｃの２つの脚部２６ｃ1を連絡する連絡部を、リアケース２４に配置された係止部２６ａに係止させながら、操作片２６ｂを本体上で回動させれば、リアケースをフロントケース側に引き寄せながら、操作片は回動され、十分回動された位置（トグル位置）で本体上に保持され、ロックされる。操作片２６ｂがロックされた状態では、オーリング２４ｃはフロントケースの平坦な端面２２ａに押圧、密着されており、操作片のロック、いいかえれば、バックル２６のロックによって、防水ハウジング２０の内部の防水性が維持される。
【０００６】
水中撮影中に撮影者の指が操作片２６ｂに引っ掛って操作片のロックを誤って解除すると、防水ハウジング内のカメラが海水に浸されて大事に至る。そのため、（１）指が簡単に引っ掛からないように、操作片の先端２６ｂ１が内側、つまり、端面２２ｅの方向に折曲されるとともに、（２）もし、指が引っ掛かっても操作片を簡単に回動しないように、操作片が大きな力のもとで強固にロックされている。
また、図示のように、一対のバックル２６を並置して設ければ、２つのバックルを同時に解除することはほとんど考えられないから、安全性が高まる。
【０００７】
図３はカメラの防水ハウジングの一例であり、たとえば、特開平４−５２６３０号公報には、ビデオカメラの防水ハウジングが開示されている。カメラの防水ハウジング、ビデオカメラの防水ハウジングのいずれにおいても、オーリングなどの防水シール部材をケースの平坦面に押圧、密着して、その状態をバックルで保持し、ロックする基本的な構成に差異はない。
【特許文献１】特開平４−５２６３０号公報
【発明の開示】
【発明が解決しようとする課題】
【０００８】
水中撮影の合間に、水中から出て、防水ハウジングのケースを開けて中のカメラが防水ハウジングから取り出される。たとえば、銀塩カメラにおいては、フィルム交換のためにカメラが防水ハウジングから取り出される。また、数日かけての撮影においては、その日の撮影が終わると、次の日の撮影に備えて、カメラは防水ハウジングから取り出されて保管される。
【０００９】
カメラを防水ハウジングから取り出すためには、バックルのロックが解除される。しかし、上記のように、操作片の先端が内側に折曲されて、指の爪がバックルの操作片に引っ掛け難いとともに、バックルのロックを解除するために大きな力が必要とされる。そのため、通常は、指にかえて、Ｌ型レンチなどを操作片の折曲先端に引っ掛け、牽引してバックルのロックを解除している。
【００１０】
また、水中撮影においては、一対のケースの隙間から海水が入り込んで海水に面する部分でオーリングが海水に浸され、砂などがオーリングの周りに付着するのは避けられない。そのため、バックルのロックを解除してカメラを防水ハウジングから取り出すときには、オーリングをその収納溝から剥離して、オーリングを水洗いして砂などを除くとともに、収納溝を濡らしたタオルなどで拭いて収納溝から砂などを除去している。
ここで、オーリングは軟質材からなり、損傷し易いため、収納溝からのオーリングの剥離には、通常、特別な部材は使用されず、指の爪やギターのピックをオーリングに引っ掛けて行っている。しかしながら、自らの指の爪若しくはギターのピックなどによるオーリングの剥離はかなり煩雑であるとともに、指の爪が短い場合には、爪がオーリングに簡単に引っ掛からず、オーリングの剥離、取り出しは容易でない。
【００１１】
本発明は、防水ハウジングの防水性解除時に、バックルのロックを解除するとともに、オーリングなどの防水シール部材をその収納溝から剥離するためのアクセサリーの提供を目的としている。
【課題を解決するための手段】
【００１２】
請求項１記載の本発明では、防水ハウジングのためのアクセサリーであって、防水ハウジングに設けられている防止蓋を閉じているバックルのロックを解除するための解除用部位と、防水ハウジングに設けられている防水シール部材を剥離するための剥離用部位とを一体的に有している。
【００１３】
請求項２記載の本発明では、防水ハウジングのためのアクセサリーにおいて、アクセサリーは合成樹脂からなる板状部材であることを特徴としている。
【００１４】
請求項３記載の本発明では、防水ハウジングのためのアクセサリーにおいて、解除用部位は板状部材の一部に棒状に形成され、剥離用部位は板状部材の一部に薄板状に形成されたことを特徴している。
【発明の効果】
【００１５】
請求項１記載の本発明によれば、解除用部位と剥離用部位とを一体的に有しているため、バックルの解除だけでなく、防水シール部材の剥離もこのアクセサリーで行なえる。
【００１６】
請求項２記載の本発明によれば、アクセサリーは板状部材であるため、狭い隙間にも入り込んで防水シール部材を剥離できる。また、アクセサリーが合成樹脂から成形されているため、剥離時におけるアクセサリーとの接触による防水シール部材の損傷が防止される。
【００１７】
請求項３記載の本発明によれば、解除用部位が棒状に形成されているため、バックルへの引っ掛けが容易で、バックルのロックが容易に解除できる。また、剥離用部位が薄板状に形成されているため、狭い隙間にも容易に入り込み、防水シール部材を容易に剥離できる。
【発明を実施するための最良の形態】
【００１８】
本発明では、バックルを解除するための解除用部位と、防水ハウジングに設けられている防水シール部材を剥離するための剥離用部位とを一体的に有しているため、２つの操作（バックルの解除操作、防水シール部材の剥離操作）が一部材で行える。
【実施例】
【００１９】
以下、図面を参照しながら本発明の実施例を辞細に説明する。図１は本発明の一実施例に係る防水ハウジングのためのアクセサリーを示し、（Ａ）は正面図を、（Ｂ）は平面図をそれぞれ示す。また、図２は図１に示すアクセサリーの操作図を示し、（Ａ）はバックルの解除操作図を、（Ｂ）は防水シール部材の剥離操作図を、（Ｃ）は（Ｂ）の線ｃ−ｃに沿った部分断面図をそれぞれ示す。
【００２０】
図１（Ａ）（Ｂ）に示すように、防水ハウジングのためのアクセサリー１０は、防水ハウジングのバックルを解除するための解除用部位１０ａと、防水ハウジングの防水シール部材を剥離するための剥離用部位１０ｂとを一体的に有して、たとえば、ポリアセタール樹脂などの合成樹脂から板状に成形されている。
板状部材のアクセサリーの一部１０ｃを切欠くことによって、バックルの解除用部位１０ａは棒状に形成されている。また、板状部材の一部１０ｄを薄板状（クサビ状）とすることにより、防水シール部材の剥離用部位１０ｂは、平面方向から見て徐々に先細りとなる三角形状に形成されている。
【００２１】
図３、４に示す防水ハウジング２０に即して本発明の操作方法を説明する。まず、バックルの解除操作について説明すると、図２（Ａ）に示すように、バックル２６のロック時においては、操作片の先端２６ｂ１が内側に折曲されているため、上から見て部分円形の隙間２６ｆが操作片の折曲先端の内側に形成される。そのため、この隙間２６ｆにアクセサリーの棒状の解除用部位１０ａを上から挿入、係止してアクセサリーを手前に引けば（牽引すれば）、操作片２６ｂは本体上の回動軸(図示しない)を中心としてＹ方向に回動する。操作片２６ｂの回動に伴なって操作片上の略コ字形状の係止片２６ｃは対応する係止部２６ａ（図２（Ｂ）参照）との係止から開放され、バック２６のロックが解除される。
このように、操作片の折曲先端２６ｂ１への解除用部位１０ａの係止、牽引によって、バック２６のロックが解除される。
【００２２】
次に、防水シール部材の剥離操作について説明すると、図２（Ｂ）に示すように、リアケース２４の端面２４ａに形成された収納溝２４ｂとその収納溝内のオーリング（防水シール部材）２４ｃとの間に、アクセサリーの剥離用部位１０ｂが押し込まれる。そして、アクセサリー１０の上半部をＺ方向に押せば（倒せば）、図２（Ｃ）に示すように、剥離用部位１０ｂはオーリング２４ｃに係合されて、オーリングを収納溝２４ｂから押し出し、剥離する。
このように、オーリング２４ｃへの剥離用部位１０ｂの係合によって、オーリングが収納溝２４ｂから剥離される。
収納溝２４ｂから剥離されて取り出されたオーリング２４ｃは水洗いされて砂などの付着物が除去される。また、収納溝２４ｂは濡らしたタオルなどで拭かれて、砂などが収納溝から除かれる。
【００２３】
上記のように、アクセサリー１０は、ロックを解除するための解除用部位１０ａと、オーリングなどの防水シール部材２４ｃを剥離するための剥離用部位１０ｂとを一体的に有している。そのため、１つのアクセサリー１０で２つの操作（バックル２６のロック解除、防水シール部材の剥離）が行なえ、ロック解除部材、防水シール部材の剥離部材を兼ねている。
従来においては、防水ハウジングを使用する水中写真愛好者は、自らの指の爪やギターのピックなどで防水シール部材を剥離しており、防水シール部材の剥離はかなり煩雑な操作だった。しかしながら、このアクセサリー１０が提供されることにより、防水シール部材の剥離時の苦労から開放されるとともに、防水シール部材剥離用としてギターのピックを持参したり、ロック解除用のたとえばＬ型レンチのような部材を持参する必要もなくなり、ロック解除部材、防水シール部材の剥離部材を兼用するこのアクセサリーのもたらす簡便性は決して小さくない。
【００２４】
また、アクセサリー１０は板状部材であるため、狭い隙間にも入り込んで防水シール部材２４ｃを剥離できる。そして、アクセサリー１０は合成樹脂から成形されているため、剥離時におけるアクセサリーとの接触による防水シール部材の損傷が防止される。
【００２５】
さらに、解除用部位１０ａが棒状に形成されているため、バックル２６への引っ掛けが容易で、バックルのロックが容易に解除できる。また、剥離用部位１０ｂが薄板状に形成されているため、狭い隙間にも容易に入り込み、防水シール部材を容易に剥離できる。
【００２６】
板状部材のアクセサリー１０から解除用部位１０ｂを棒状に形成するには、切欠き１０ｃを板状部材に設ける必要がある。そして、アクセサリー１０を把持するとき、指がその切欠き１０ｃに係合されて、解除操作時においてアクセサリーを大きな力で牽引できる。そのため、強固にロックされたバックル２６に対しても、力の弱い女性、子供などが比較的容易にロック解除できる。
【産業上の利用可能性】
【００２７】
本発明によれば、防水ハウジングのアクセサリーに適するとはいえ、これに限定されず、バックルを使用してロックし、防水シール部材にゴミなどの付着しやすい環境で使用する機器のアクセサリーとして本発明が広範囲に応用できる。
【図面の簡単な説明】
【００２８】
【図１】本発明の一実施例に係る防水ハウジングのためのアクセサリーを示し、（Ａ）は正面図を、（Ｂ）は平面図をそれぞれ示す。
【図２】図１に示すアクセサリーの操作図を示し、（Ａ）はバックルの解除操作図を、（Ｂ）は防水シール部材の剥離操作図を、（Ｃ）は（Ｂ）の線ｃ−ｃに沿ったリアケースの部分断面図をそれぞれ示す。
【図３】ケース開放時（防水ロック解除時）における防水ハウジングの概略斜視図を示す。
【図４】図３のＸ方向から見たリアケースの部分側面図を示す。
【符号の説明】
【００２９】
１０        防水ハウジングのためのアクセサリー
１０ａ      アクセサリーの解除用部位
１０ｂ      アクセサリーの剥離用部位
２０        防水ハウジング
２２        防水ハウジングのフロントケース（防水ハウジング本体）
２４        防水ハウジングのリアケース（防水蓋）
２４ｂ      収納溝
２４ｃ      防水シール部材（オーリング）
２６        バックル
２６ａ      バックルの係止部
２６ｂ      バックルの操作片
２６ｃ      バックルの係止片
２６ｄ      バックルの本体
【図１】
2007072413.tif 000003
【図２】
2007072413.tif 000004
【図３】
2007072413.tif 000005
【図４】
2007072413.tif 000006